(57)【要約】  第１表示コンテンツを、携帯無線コミュニケータの第１表示画面に表示するとともに、第１コンテンツとは異なる第２表示コンテンツを携帯無線コミュニケータから外部表示画面に表示するコンテンツ表示方法、コンテンツ表示システム、コンテンツ表示用のコンピュータプログラム。テレビ会議への適用では、第２表示コンテンツはリモートの相手側の画像を含み、第１表示コンテンツは携帯無線コミュニケータのユーザの画像又は携帯無線コミュニケータからのカメラ画像を含む。英数字データを表示する場合には、第１表示コンテンツが第１英数字データを含み、第２表示コンテンツが第１英数字データと第１英数字データに関する追加詳細データを含む。
2008517525.tif 000002
【特許請求の範囲】
【請求項１】
第１表示コンテンツを携帯無線コミュニケータの第１表示画面に表示するとともに、前記第１表示コンテンツとは異なる第２表示コンテンツを携帯無線コミュニケータから外部表示画面に送信する表示ステップを有することを特徴とするコンテンツ表示方法。
【請求項２】
前記第２表示コンテンツは、前記第１表示コンテンツとは異なるが、前記第１表示コンテンツと関連していることを特徴とする請求項１に記載の方法。
【請求項３】
携帯無線コミュニケータを用いて、該携帯無線コミュニケータのユーザとリモートの相手とでテレビ会議を行うテレビ会議ステップを更に有し、前記第２表示コンテンツは前記リモートの相手側の画像を含むことを特徴とする請求項１に記載の方法。
【請求項４】
前記携帯無線コミュニケータはカメラを含み、前記第１表示コンテンツは、前記カメラにより生成された前記携帯無線コミュニケータのユーザの画像を含むことを特徴とする請求項３に記載の方法。
【請求項５】
前記携帯無線コミュニケータはカメラを含み、前記第１表示コンテンツは、テレビ会議中に前記カメラにより生成された画像を含むことを特徴とする請求項３に記載の方法。
【請求項６】
前記第１表示コンテンツは、第１英数字データを含み、前記第２表示コンテンツは、前記第１英数字データと前記第１英数字データに関する追加の詳細データを含むことを特徴とする請求項１に記載の方法。
【請求項７】
前記第１表示コンテンツは、選択メニューを含み、前記第２コンテンツは、前記選択メニューと、少なくとも１つの選択サブメニューを含むことを特徴とする請求項１に記載の方法。
【請求項８】
前記第１表示コンテンツは、第１の数の選択メニューを含み、前記第２表示コンテンツは、前記第１の数より大きい第２の数の選択メニューを含むことを特徴とする請求項１に記載の方法。
【請求項９】
前記第１表示コンテンツは、プレゼンテーションヘッディングを含み、前記第２表示コンテンツは、前記プレゼンテーションヘディングと、少なくとも１つのプレゼンテーションサブヘッディングを含むことを特徴とする請求項１に記載の方法。
【請求項１０】
前記第２表示コンテンツは、プレゼンテーションを含み、前記第１表示コンテンツは、前記プレゼンテーションに関連するプレゼンターノートを含むことを特徴とする請求項１に記載の方法。
【請求項１１】
前記外部表示画面の解像度に合わせて前記第２表示コンテンツをスケーリングするステップを更に有することを特徴とする請求項１に記載の方法。
【請求項１２】
前記表示ステップは、第１表示コンテンツを携帯無線コミュニケータの第１表示画面に表示するとともに、前記第１表示コンテンツとは異なる第２表示コンテンツを前記携帯無線コミュニケータから外部表示画面に送信し、音声コンテンツを前記携帯無線コミュニケータから外部スピーカに送信するステップを含むことを特徴とする請求項１に記載の方法。
【請求項１３】
携帯無線コミュニケータのハウジングと、
前記ハウジングに収納された第１表示画面と、
第１表示コンテンツを前記第１表示画面に表示するとともに、前記第１コンテンツとは異なる第２表示コンテンツを前記携帯無線コミュニケータから外部表示画面に送信するコントローラと、
を有することを特徴とする携帯無線コミュニケータ。
【請求項１４】
前記携帯無線コミュニケータのユーザがリモートの相手との間でテレビ会議を行うテレビ会議システムを更に有し、前記第２表示コンテンツは前記リモートの相手側の画像を含むことを特徴とする請求項１３に記載の携帯無線コミュニケータ。
【請求項１５】
前記第１表示コンテンツは第１英数字データを含み、前記第２表示コンテンツは前記第１英数字データと前記第１英数字データに関する追加詳細データを含むことを特徴とする請求項１３に記載の携帯無線コミュニケータ。
【請求項１６】
前記第２表示コンテンツはプレゼンテーションを含み、前記第１表示コンテンツは前記プレゼンテーションに関連するプレゼンターノートを含むことを特徴とする請求項１３に記載の携帯無線コミュニケータ。
【請求項１７】
前記コントローラは、更に、外部表示画面の能力を検出することを特徴とする請求項１３に記載の携帯無線コミュニケータ。
【請求項１８】
第１表示画面を備える携帯無線コミュニケータを動作させるためのコンピュータ読み取り可能なプログラムコードを格納したコンピュータ読み取り可能な記憶媒体を有するコンピュータプログラムであって、前記コンピュータ読み取り可能なプログラムコードは、
第１表示コンテンツを前記第１表示画面に表示するとともに、前記第１表示コンテンツとは異なる第２表示コンテンツを前記携帯無線コミュニケータから外部表示画面に送信するためのコンピュータ読み取り可能なプログラムコードを有することを特徴とするコンピュータプログラム。
【請求項１９】
前記コンピュータ読み取り可能なプログラムコードは、前記携帯無線コミュニケータのユーザがリモートの相手とテレビ会議を行うためのコンピュータ読み取り可能なプログラムコードを更に有し、前記第２表示コンテンツは前記リモートの相手側の画像を含むことを特徴とする請求項１８に記載のコンピュータプログラム。
【請求項２０】
前記第１表示コンテンツは第１英数字データを含み、前記第２表示コンテンツは前記第１英数字データと前記第１英数字データに関する追加詳細データを含むことを特徴とする請求項１８に記載のコンピュータプログラム。
【発明の詳細な説明】
【技術分野】
【０００１】
本発明は、情報の表示に関し、特に、複数の表示画面にコンテンツを表示するためのシステム、方法、及びコンピュータプログラムに関する。
【背景技術】
【０００２】
携帯無線コミュニケータは、音声通信、データ通信、及び、マルチメディア通信に広く使用されている。以下では、この「携帯無線コミュニケータ」の用語は、その平均的な大きさが、動作中に人の手に収まるほどに小さい無線コミュニケータの意味で使用する。ここで言う携帯無線コミュニケータには、従来の携帯電話、音声・映像テキストメッセージ、電子メール、Webアクセス機能を含めることが可能なスマートフォン、無線通信機能を有するＰＤＡ（個人用携帯型情報端末、Personal Digital Assistants）、無線ページャ、ブラックベリー（Blackberry）無線携帯電子メール装置が含まれるが、従来のラップトップ型のコンピュータは含まれない。また、携帯無線コミュニケータには、メガネ、リストバンド、バックパック、その他の衣類と一体化させることのできるウェアラブル無線コミュニケータも含まれる。この携帯無線コミュニケータの操作部領域の面積は概ね５０平方インチあるいはそれ以下、ディスプレイの面積は概ね３０平方インチあるいはそれ以下であろう。とりわけ、スマートフォンの場合には、操作部領域の面積は約２０平方インチ以下、ディスプレイは約１２インチ以下であろう。
【０００３】
携帯無線コミュニケータはユビキタス（ubiquitous）な環境を作り出すが、アプリケーションによっては小さなディスプレイでは使いづらい場合がある。
【発明の開示】
【０００４】
本発明の実施形態における、コンテンツ表示方法、コンテンツ表示システム、コンテンツ表示用のコンピュータプログラムは、携帯無線コミュニケータの第１表示画面に第１表示コンテンツを表示するとともに、この第１表示画面とは異なる第２表示コンテンツを携帯無線コミュニケータから外部表示画面に送信する。実施形態によっては、第２コンテンツは第１コンテンツとは異なるが第１コンテンツと関連している場合もある。
【０００５】
本発明のいくつかの実施形態はテレビ会議に適用される。特に、ある実施形態では、携帯無線コミュニケータのユーザは、その携帯無線コミュニケータを使用してリモートの相手とのテレビ会議を行う。これらの実施形態では、外部表示画面に伝送される第２表示コンテンツは、リモートの相手側の画像を含む。別の実施形態では、携帯無線コミュニケータ上に表示される第１表示コンテンツは、携帯無線コミュニケータのユーザの画像を含む。さらに別の実施形態では、第１表示コンテンツは、テレビ会議がなされている間に携帯無線コミュニケータのカメラにより撮像された画像を含む。さらに別の実施形態では、第２表示コンテンツは、リモートの相手からの音声コンテンツも含む。
【０００６】
本発明の別の実施形態は、英数字データの表示に使用されている。別の実施形態では、特に、別の実施形態では、携帯無線コミュニケータ上に表示される第１コンテンツは第１の英数字データを含み、外部表示画面に伝送される第２表示コンテンツは、その第１の英数字データと、その第１英数字データに関する追加の詳細データを含む。より具体的には、第１表示コンテンツは選択メニューを含むことができ、第２表示コンテンツは、選択メニューと、少なくとも１つの選択サブメニューを含みうる。別の実施形態では、第１表示コンテンツは、プレゼンテーションヘッディングと、少なくとも１つのプレゼンテーションサブヘディングを含む。さらに別の実施形態では、第２表示コンテンツは、プレゼンテーションの内容を含み、第１表示コンテンツは、プレゼンテーションの内容に関係したプレゼンターノートを含む。
【発明を実施するための最良の形態】
【０００７】
以下、本発明の実施形態を添付図面を参照しながら詳述する。図面には、本発明の実施形態を図示してある。図において、第１及び第２の表示画面の相対的な大きさは、分かりやすくするために誇張された大きさになっており、実際の実施形態での第２の表示画面は、図に示されているサイズよりもはるかに大きいものとすることができる。本発明は、多数の異なる態様での実施が可能であり、本明細書に記載された実施形態に限定されるものではない。これらの実施形態は、本発明の開示を十分かつ完全なものとし、かつ、当業者が本発明の範囲を十分に理解できるように、提供するものである。
【０００８】
本発明の、ある要素が他の要素に「結合されている(coupled)」又は「接続されている(connected)」と言う場合には、それは、ある要素が他の要素に直接に結合されているか、又は、接続されている状態か、あるいは、要素と要素の間に別の要素が介在していることを意味する。これとは対照的に、ある要素が他の要素に「直接結合されている(directly coupled)」、あるいは、「直接に接続されている(directly connected)」と言う場合には、要素と要素の間には、他の要素は何も介在していないことを意味する。明細書全体を通して、同じ番号は、同じ要素と対応している。「及び/又は」(and/or)と表示されている場合には、列挙された関連する項目のいずれか、及び、その項目全ての組み合わせであることを示しており、このことが、略記号である「/」で示されている。
【０００９】
また、多様な要素を記述するために、各要素に第１、第２などの用語を付す場合があるが、要素がこれらの第１、第２などの用語に限定されるわけではない。これらの用語は、要素と要素を区別するためだけに使用したものである。以下の説明において、第１表示画面と記載されていても、本発明の主旨を逸脱しないかぎり、それを第２表示画面という用語を使用することもできる。
【００１０】
本明細書で使用する用語は、特定の実施形態を説明する目的だけのものであって、本発明を限定するものではない。以下の説明において、「ａ」「ａｎ」「ｔｈｅ」により単数を表示したようになっているものでも、特に文脈上、別の記載がない限り、複数の内容を表示している場合もある。本明細書で使用している「有する(comprise)」、「有している(comprising)」、「含む(include)」、「含んでいる(including)」という用語は、記載されている特徴、数字、ステップ、動作、要素、構成部品が存在するということを明記するが、これらの特徴、数字、ステップ、動作、要素、それらのグループ以外のものの存在、それらへの追加事項を排除するものではない。
【００１１】
別の定義づけがされてない限り、明細書内のすべての用語は、本発明が属する通常の技術分野で一般に理解されているのと同じ意味を有する。通常用いられる辞書により定義されている用語は、その関連技術での通常の意味と一致するものと解釈すべきであり、特に明示的に定義されていない限り、観念的で度を越した意味を有するものと解釈してはならない。
【００１２】
本発明は、方法、装置、システム、コンピュータプログラムとして具現化され得るものであることは、当業者の理解するところである。従って、本発明は、全体がハードウェアで構成される形態だけでなく、全体がソフトウェアで構成される形態や、ソフトウェアとハードウェアを組み合わせた形態をとりうるが、いずれにしてもそのすべてを、「回路」や「モジュール」として記載している。さらに、本発明は、コンピュータで使用可能なプログラムコードを記憶媒体に格納したコンピュータプログラムとして実施可能である。記憶媒体としては、コンピュータ読み取り可能な媒体であればよく、例えば、ハードディスク、ＣＤ−ＲＯＭ、光学記憶装置、インターネットやイントラネットをサポートする伝送装置、磁気記憶装置でもよい。
【００１３】
本発明の動作を実行するコンピュータプログラムコードは、Java（登録商標）、SmallTalk、C++ のようなオブジェクト指向プログラミング言語で書かれている。ただし、本発明の動作を実行するプログラムコードは、Ｃ言語のような従来の手続き型プログラミング言語で書いてもよい。このプログラムコードは、その全体を携帯無線コミュニケータ上で動作させるか、部分的に携帯無線コミュニケータで動作させ、部分的にリモートのコンピュータ上で動作させてもよい。部分的にリモートのコンピュータで動作させる場合には、そのリモートコンピュータを、有線及び／又は無線ＬＡＮ（Local Area Network）及び／又はＷＡＮ（Wide Area Network）を介して、携帯無線コミュニケータに接続してもよいし、あるいは、インターネットサービスを提供するプロバイダーを利用したインターネットを介して、リモートコンピュータと携帯無線コミュニケータとを接続するようにしてもよい。
【００１４】
以下、実施形態による方法、システム、装置、コンピュータプログラムについてフローチャート及び／又はブロック図を参照して、本発明を説明する。フローチャート及び／又はブロック図で示される各ブロック、あるいは、ブロックの組み合わせの動作は、上記のコンピュータプログラムの命令に従って実行されることになる。これらのコンピュータプログラム命令は、携帯無線コミュニケータのコントローラに供給され、コントローラは、供給されたプログラム命令に従って、フローチャートやブロック図で特定される機能/動作を実行させるための手段やモジュールを構築する。
【００１５】
これらのコンピュータプログラム命令は、コンピュータで読み取り可能なメモリに保存され、この命令により、携帯無線コミュニケータが特定の方法で指示を受け、コンピュータ読み取り可能なプログラムコードを作成することになる。作成されたプログラムコードに従って、フローチャートやブロック図で特定された機能/動作が実行される。
【００１６】
このプログラム命令は、携帯無線コミュニケータにロードされ、それにより携帯無線コミュニケータ上で一連の動作ステップが実行され、そのプログラム命令に従って、フローチャートやブロック図で特定される機能/動作が携帯無線コミュニケータにより実行されていく。
【００１７】
別の代替の実施形態では、ブロックで指定された機能/動作が、フローチャートで指定されている順序に無関係に実行される例も示される。例えば、連続して示された２つのブロックでの機能/動作が指定された順序に関係なく実質的に同時に実行されたり、その機能/動作の内容により、その機能/動作が指定された逆の順序で実行される例も示される。
【００１８】
図１は、本発明の種々の実施形態によるコンテンツ表示方法、携帯無線コミュニケータ、コンピュータプログラムを概略的に図示したものである。図１に示されているように、この携帯無線コミュニケータ１００では、第１表示画面１１０、カメラ１２０、キーパッド１３０がケース１４０に収納されており、無線による音声、データ、及び／又はマルチメディア通信を提供する構成となっている。このケース１４０は、図１では、一個のブリック（レンガ様）型のケースとして示されているが、クラムシェル(二枚貝様)型のケースとしてもよい。さらに、ウェアラブルなケースであってもかまわない。本発明の別の実施形態では、携帯無線コミュニケータ１００は、第１表示コンテンツ１１２を携帯無線コミュニケータの第１表示画面１１０に表示させるとともに、この第１表示コンテンツ１１２とは異なる別の第２表示コンテンツ１６２を、有線及び／又は無線リンク１５０を介して、外部の表示画面１６０に送信する。この外部の表示画面１６０としては、プロジェクタ画面、ＴＶモニタ画面、ラップトップやデスクトップコンピュータ装置の表示画面があり、これらの表示画面は、携帯無線コミュニケータ１００の第１表示画面１１０に比較して、そのサイズが大きく、アドレサビリティ（addresability）も高い。別の実施形態では、この第２表示コンテンツ１６２は、第１表示コンテンツ１１２とは関連があるが、第１表示コンテンツ１１２とは別物である。以下に多数の実施形態を記載する。
【００１９】
図２は、図１で示された携帯無線コミュニケータ１００のような携帯無線コミュニケータの概略ブロック図である。ユーザインタフェースとしては、第１表示画面１１０、カメラ１２０、キーパッド１３０、マイクロホン２１０、スピーカ２１２が含まれる。さらに、ＧＰＳ（Global Positioning System）レシーバ２２０、無線電話２２２、ページャ２２４、ブルートゥース（BLUTOOTH）システム２２６のような短距離無線システム、ファクシミリシステム２２８、Ｅメールシステム２３２、テキスト・メッセージ・システム２３４、Ｗｅｂブラウザ２３６、オーガナイザ２３８、テレビ会議システム２４０を搭載してもよい。これらの要素は、単独で搭載されることもあるし、１つ又はそれ以上の要素が一体化されていることも、あるいは、全体的又は部分的に組み合わされていることもある。ＧＰＳレシーバ２２０、無線電話２２２、ページャ２２４、短距離無線システム２２６には、それぞれ別個にアンテナ２２１、２２３、２２５、２２７が接続されており、これらのアンテナの１つ又はそれ以上を組み合わせて接続してもよい。この携帯無線コミュニケータには、さらに、無線又は有線モデム２４２、有線Ｉ／Ｏポート２４４を搭載してもよい。図２で示した各ブロックについては、当業者には周知のものであり、これ以上の説明は不要であろう。
【００２０】
図２のブロックの一部又は全部を制御するためのコントローラ２５０も設けられている。このコントローラ２５０の機能は、システム（装置）、方法、コンピュータプログラムの形で具体化することができる。従って、本発明は、全体がハードウェア構成の実施態様、全体がソフトウェア構成の実施態様、ハードウェアとソフトウェアを組み合わせた実施態様の形とすることができる。コントローラ２５９は、図２で示される種々の要素を制御する機能の他に、図１及び図３乃至図１０で示された機能を有するように構成されている。
【００２１】
再度、図１と図２を参照して説明すると、本発明の別の実施形態では、この携帯無線コミュニケータには、コントローラ２５０が設けられ、コントローラ２５０が、第１表示コンテンツを携帯無線コミュニケータ１００の第１表示画面１１０に表示させるとともに、第１コンテンツとは異なる別の第２表示コンテンツ１６２を携帯無線コミュニケータ１００から外部の表示画面１６０に送信する構成となっており、その伝送には、有線又は無線のリンク１５０を提供する短距離無線システム２２６、モデム２４２、Ｅメールシステム２３２、テキスト・メッセージ・システム２２４、ブラウザ２３６、及び／又はＩ／Ｏポート２４４を使用する。例えば、短距離無線システム３３４は、携帯無線コミュニケータ１００と外部表示画面１６０との間の無線リンク１５０を提供し、一方、モデム２４２とＩ／Ｏポート２４４は、携帯無線コミュニケータ１００と外部表示画面１６０との間の有線リンク１５０を提供する。
【００２２】
図３は、テレビ会議に使用される本発明の実施形態を図示している。テレビ会議においては、図２で示したテレビ会議モジュール２４０のようなテレビ会議モジュールが使用されて、携帯無線コミュニケータ１００とリモートの通信相手とのテレビ会議を実行させることになる。図３に示すように、テレビ会議に適用された実施形態では、第２表示画面１６０上に表示される第２表示コンテンツは、そのリモートの相手側の画像で構成される。さらに別の実施形態では、図３に示すように、第１表示画面１１０上の第１表示コンテンツ１１２は、カメラ１２０から取り込まれた携帯無線コミュニケータ１００のユーザの画像で構成される。さらに別の実施形態では、図４に示されるように、第１の表示画面１１２を、テレビ会議が行われている間にカメラ１２０により撮像された画像で構成してもよい。さらに、別の実施形態では、第１表示画面１１０には、カメラ１２０がない場合やカメラ画像を使用することをユーザが好まない場合には、コール（要求）関連情報その他の情報を表示してもよい。さらに別の実施形態では、第２表示画面１６０には、リモートの相手から転送された音声コンテンツを流してもよい。図３で示された実施形態と図４で示された実施形態を組み合わせてもよい。
【００２３】
図５は、データ表示に適用された本発明の実施形態を示したものである。これらの実施形態においては、第１表示画面１１０に表示される第１表示コンテンツは、第１の英数字データで構成され、外部の第２表示画面１６０に表示される第２表示コンテンツ１６２は第１の英数字データと、その第１英数字データに関する追加の詳細データから構成される。別の実施形態では、図６に示すように、第１表示コンテンツ１１２は、選択メニューで構成され、第２表示コンテンツ１６２は、選択メニューと、少なくとも１個の選択サブメニューで構成される。図７において、第１表示コンテンツ１１２は、プレゼンテーションヘッディング（通常「プレゼンテーションブリット」と呼ばれる）で構成され、第２表示コンテンツ１６２は、プレゼンテーションヘッディングと、少なくとも１つのプレゼンテーションサブヘッディングで構成されている。別の実施形態では、図８に示すように、第２表示コンテンツ１６２が、プレゼンテーションの内容で構成され、第１表示コンテンツ１１２がプレゼンテーションに関するプレゼンターノートで構成されている。
【００２４】
従って、携帯無線コミュニケータがテレビ会議と英数字データ表示に適用された場合、携帯無線コミュニケータ１００の第１表示画面１１０と外部表示画面１６０の両方に、別々の画像を表示でき、その画像のそれぞれが、第１表示画面１１０と外部表示画面１６０の個別のサイズ、解像度、アドレサビリティに適合するようになっている。テレビ会議においては、リモートのカメラ画像（図３及び４）は、比較的高い解像度／アドレサビリティを有する外部表示画面に表示され、これに対して、ユーザ側のカメラ画像（図４）又は、ユーザ側の画像は、比較的小さくて、比較的低い解像度／アドレサビリティを有する携帯無線コミュニケータ１００のディスプレイに表示される。データ表示に適用された場合、詳細の追加データ(図５−７)は、携帯無線コミュニケータの表示画面１１０ではなく、外部表示画面１６０上に示され、簡単なプレゼンターノートは携帯無線コミュニケータ１００(図８)の第１表示画面１１０上に示される。
【００２５】
本発明がテレビ会議に適用された場合の実施形態について、追加の説明を行う（図１−４）。これらの実施形態において、携帯無線コミュニケータ１００がテレビ会議のコールを受信した時、あるいは、テレビ会議が開始された時、サイズの大きい外部表示画面１６０上にリモートの相手側の画像が自動的に表示され、携帯無線コミュニケータの表示画面１１０は自動的にローカルのビデオ/カメラのモニターモードに切り替わる。ハード構成又はソフト構成となっているユーザ選択スイッチが外部表示画面１６０をオン／オフさせる。このように、テレビ会議のコール接続が確立された時に、携帯無線コミュニケータ１００の第１表示画面１１０に、リモートの相手側の画像が表示されるとともに、携帯無線コミュニケータ１００の表示画面１１０の各部分にカメラ画像が表示されるようになっており、これは、従来の型と同じである。しかし、ユーザ選択が開始されるとすぐに、リモート側の画像が外部表示画面１６０に送信され、一方、携帯無線コミュニケータ１００の第１表示画面１１０には、ユーザ画像（図３）又はカメラ画像（図４）が表示される。
【００２６】
図９は、本発明がテレビ会議用に適用された場合の実施形態における動作フローチャートである。図９に示すように、テレビ会議が（テレビ会議コールを受信するかテレビ会議コールが始まったことにより）開始された時、ブロック（ステップ）９１０で、携帯無線コミュニケータのユーザが外部表示画面を使用することを望んでいるかどうかを確定する。この決定は、ユーザがデフォルト設定値を選択するかどうかで定まる。ユーザが外部表示画面１６０を望む場合には、ブロック９２０で、外部表示画面１６０が使用できるかどうかを決める。ユーザが外部表示画面を使用することを望まないか、あるいは、外部表示画面が使用できない場合には、ブロック９３０で示されるように、携帯無線コミュニケータ１００がローカル及びリモート画面を従来の方法で表示させる。ユーザが外部表示画面１６０の使用を望み、それが使用できる状態にあれば、携帯無線コミュニケータは、リモート映像情報を外部表示画面１６０に転送するとともに、ブロック９５０において、ローカルカメラ画像をローカル表示画面に表示させてもよい。
【００２７】
ブロック９４０において、映像が外部表示画面１６０に転送される際に、この音声信号が外部表示画面１６０に転送されると、その音声の了解度が向上するという意味において望ましい。ユーザとして、音声信号を携帯無線コミュニケータ１００に留めておくか、外部表示画面１６０に転送するかについての選択が許されるようにしてもよい。リモートの相手側の画像を表示するための外部表示画面１６０として、従来型の一般アダプタ付きの表示装置が使用できる。一般アダプタが使えるということは、家庭やマーケットで普通に手に入る表示装置を使えるということである。これらのアダプタには、オーディオビジュアル型のアダプタ、映像プラス音声型のアダプタ、オーディオビジュアルデータを、ファイヤーワイヤー（FIREWIRE）リンクのようなデジタルリンクで多重化が可能なアダプタが含まれる。大型の外部表示画面１６０では、鮮明度は多様であるが、複数のリモートの相手側の画像を表示することも可能である。
【００２８】
英数字データ表示(図１乃至２、図５乃至８)について、更に説明する。特に、携帯無線コミュニケータ１００の表示画面１１０は、従来通り、そのサイズが比較的小さく、解像度／アドレサビリティの点でも、ＱＶＧＡ（Quarter Video Graphic Array）以下である。本発明の別の実施形態では、マイクロソフト（登録商標）のパワーポイント（登録商標）や、その他のプレゼンテーションツールに適用する場合には、より高い解像度／アドレサビリティを有する画像を、外部表示画面１６０に出力可能である。従って、本発明の別の実施形態では、特定のプレゼンテーション画面やトピックに関連付けされた複数画像の出力が可能である。しかし、これらの複数画像は、各表示画面上での英数字データの詳細度の度合いが違うという意味で、それぞれ別物であり(図５乃至７)、また、データはそれぞれ別物であるけれども、関連がある(図８)と言える。詳細度の度合いの違いの例としては、例えば、画面の違いであり、ＴＶモニタでは、ビデオモニタのような高解像度の外部表示画面１６０では、例えば、２０メニューからの選択が可能であり、一方、携帯無線コミュニケータ１００では４メニューだけからの選択しかできず、その切り替えはスクロール機能を使用するというものである。コンテンツの違いの例は、例えば、パワーポイントでのプレゼンテーションの場合には、プレゼンテーション用のスライドが外部表示画面に送信され表示できるが、携帯無線コミュニケータ１００の場合には、音声で各ポイントが表示されるだけであるか、あるいは、主要ブリットが表示されるだけである。
【００２９】
図１０は、本発明の実施形態における外部表示画面１６０にデータを表示する動作を説明するフローチャートである。ユーザが外部表示画面を使用することを望み、その外部表示画面が使用可能であることが判明すれば（このプロセスは、図９のブロック９１０と９２０と同じ）、ブロック１０１０で、外部表示画面の解像度が特定される。その後、ブロック１０２０で、外部表示画面の大きさに基づいて、画像がスケーリングされる。ブロック１０３０で、ユーザは、外部表示画面の大きさに基づいて、画像内での複数のフレームやメニュー項目の表示位置を選択することができる。ブロック１０４０で、ユーザは画像の大きさを大きくしたり小さくするための入力を行うことができる。最後に、ブロック１０５０において、ユーザの入力に基づいて、外部表示画面上での画像のサイズが修正される。
【００３０】
図１１は、本発明の実施形態におけるカメラ付き無線通信装置１０を示したものである。ここで図示されているカメラ付き無線通信装置１０は、カメラ付き携帯電話である。しかし、本発明は、これに限定されることなく、マルチメディア機能を有する民生電子機器、例えば、ＰＤＡ（Personal Digital Assistance）、ＰＣＳ（パーソナル通信サービス、Personal Communication Service）、衛星電話、パーム型又はラップトップ型コンピュータ、カムコーダ、デジタルカメラなどに適用可能であることは、当業者にはすぐに理解できることである。
【００３１】
図１１に示されているように、このカメラ付き無線通信装置１０は、ユーザインタフェース１２、通信回路１４、カメラアセンブリ１６で構成されている。ユーザインタフェース１２は、ディスプレイ１８、キーパッド２０、マイクロホン２２、スピーカを含む。ディスプレイ１８とスピーカ２４は、このカメラ付き無線通信装置１０に内蔵されたマルチメディアレンダリング装置の例である。ユーザは、ディスプレイ１８により、ダイアル数字、コール状況、メニューオプション、その他のサービス情報を見ることができる。ディスプレイ１８は、ビューファインダとして動作し、それにより、ユーザは、カメラアセンブリ１６が取り込んだ画像と映像と、リモートの相手側が取り込んで伝送してきたリモート画像とリモート映像を、テレビ会議コールの一部として、同時に見ることができる。カメラ付き無線通信装置１０の表面に配置されたキーパッド２０には、英数字表示のキーパッド、ジョイステック、ボタン、ダイアル（不図示）のような入力コントローラが含まれる。オペレータは、キーパッド２０を使って、ダイアルをしたり、コマンド入力を行ったり、メニューリストからメニューを選択できる。さらに、ユーザは、キーパッド２０を使って、カメラアセンブリ１６の機能を制御することができる。
【００３２】
マイクロホン２２とスピーカ２４は、音声処理回路３０を介してコントローラ２８と通信可能に接続されており、公知の任意の音響トランスデューサで構成されている。マイクロホン２２は、ユーザの音声を電気音響信号に変換してリモートの相手側に伝送し、スピーカ２４は、リモートの相手側から受けた音声信号をユーザが聞き取ることのできる音響信号に変換する。
【００３３】
通信回路１４は、メモリ２６、コントローラ２８、音声処理回路３０、アンテナ３４を有する長距離トランシーバ３２、アンテナ３８を有する短距離トランシーバ３６を有する。メモリ２６は、このカメラ付き無線通信装置１０の全体のメモリーの階層構造を代表しており、ＲＡＭ（Random Access Memory）及びＲＯＭ（Read-only Memory）の両方を含んでいる。コンピュータプログラム命令及び動作に必要なデータは、EPROMやEEPROM、フラッシュメモリのような不揮発性メモリに保存されており、ディスクリートデバイス、スタックデバイスとして実装されるか、あるいは、コントローラと共に集積化されている。
【００３４】
コントローラ２８は、例えば、マイクロプロセッサであり、メモリ２６に保持されたプログラムに従って、カメラ付き無線通信装置１０の動作を制御し、その制御には、カメラアセンブリ１６が取り込んだ画像や映像をデジタル変換するための公知の技術を使用する。このコントローラの制御機能は、単一のマイクロプロッセサ又は複数のマイクロプロセッサにより実行される。適当なコントローラとしては、例えば、汎用又は専用のマイクロプロセッサ、ディジタル信号処理プロセッサが含まれる。コントローラ２８は、音声処理回路３０とインタフェースされている。音声処理回路３０は基本的に、スピーカ２４にアナログ出力信号を供給し、マイクロホン２２からアナログ音声入力を受信するものである。コントローラ２８は、下記においてさらに詳述するが、画像データ、映像データ、音声データのようなマルチメディアデータの出力を、マルチメディアデータの種類及び、１又は２以上のリモートマルチメディアシステムの利用可能性や能力に基づいて制御する。
【００３５】
長距離トランシーバ３２は、無線通信ネットワーク内の１又は２以上の基地局との信号の送受信を行う。長距離トランシーバ３２は、十分に機能するセルラー無線トランシーバとして、ＧＳＭ（Global System for Mobile Communications）、ＴＩＡ/ＥＩＡ−１３６、ｃｄｍａＯｎｅ，ｃｄｍａ２０００、ＵＭＴＳ、広帯域ＣＤＭＡを含む公知の規格に従って動作する。本発明の一実施形態によれば、リモートの相手側とのテレビ会議に対応した信号は、長距離トランシーバ３２により送受信される。
【００３６】
短距離トランシーバ３６は、１又は２以上の短距離トランシーバとの信号の送受信を行う。このことについては、下記にさらに詳しく述べる。本発明の実施形態の１つでは、短距離トランシーバ３６は、ＩＥＥＥ８０２．１１（ｂ）又は８０２．１１（ｇ）規格に従って動作するブルートゥーストランシーバ又はＲＦトランシーバである。ブルートゥースは、当該技術分野では周知の汎用無線インタフェース規格であり、これは、アドホックネットワークの構築が可能とするものであり、とりわけ短距離の無線通信に適したインタフェース規格である。短距離トランシーバ３６は、短距離での信号の送受信で使える技術、例えば、赤外線のような、当該技術分野で公知の技術を使用することができる。
【００３７】
カメラアセンブリ１６には、カメラ・グラフィック・インタフェース４０，カメラ４４，一体型フラッシュ（オプション）４６が含まれる。カメラ・グラフィック・インタフェース４０は、カメラ４４をコントローラ２８及び／又はユーザインタフェース１２と接続する。カメラ４４に対するコマンド及びデータのやり取りは、通常の場合は、当該技術分野では知られているように、カメラ・グラフィック・インタフェース４０で処理される。図１１では、カメラ・グラフィック・インタフェース４０は、別の構成要素として示されているが、コントローラ２８と一体的に構成してもよい。
【００３８】
カメラ４４としては、公知の任意のカメラを使用することができ、レンズアセンブリ（不図示）、イメージセンサ(不図示)、イメージプロセッサ(不図示)が、そのカメラの要素として含まれる。カメラ４４は、デジタル化が可能で、メモリ２６に保存できる画像を取り込み、ここで、取り込まれた画像はコントローラ２８でデジタル変換されて、ディスプレイ１８に出力される。フラッシュ４６は、取り込まれる対象を照明する必要がある場合にフラッシュ光を発する。ユーザがテレビ会議を行っているような場合には、カメラ４４が取り込んだ画像及び／又は映像は、長距離トランシーバ３２を介して無線ネットワークに伝送される。
【００３９】
図１２は、本発明の実施形態の１つを図示したものであり、無線通信装置１０のユーザが、リモートの１又は２以上の相手とテレビ会議を行う場合である。本発明によれば、無線通信装置１０は、リモートの１又は２以上の相手から伝送された映像・画像と関連する音声信号を外部表示デバイス５０と外部音声デバイス６０に送信する。
【００４０】
外部表示デバイス５０は、ディスプレイ５２，画像処理回路５４，短距離トランシーバ５６を有する。このディスプレイ５２，画像処理回路５４，短距離トランシーバ５６は、それぞれ単体のデバイスでもよいし、又は、相互に連結された集合体でもよい。ディスプレイ５２は、固定式又は移動式の１又は２以上の表示画面であり、画像処理回路５４を介して短距離トランシーバに結合されている。無線通信装置１０から短距離インタフェースを介して受信した画像信号は、このディスプレイ５２に表示される。このディスプレイ５２は、無線通信装置１０に設けられているディスプレイ１８の解像度よりも高い解像度で受信画像信号を表示できる。別の実施形態によれば、ディスプレイ５２は、会議室や事務室で通常見られる型の固定映像プロジェクタのような映像プロジェタ画面を使用している。さらに別の実施形態では、ディスプレイ５２として、ラップトップ型又はデスクトップ型のコンピュータのようなコンピュータデバイスに設けられた表示画面を使用している。さらに別の実施形態では、このディスプレイ５２として、プラズマ画面又はユーザの家庭用テレビを使用している。
【００４１】
画像処理回路５４は、１又は２以上のプロセッサ（不図示）、メモリ（不図示）、及び、画像／映像信号をディスプレイに送信する前に、公知の画像／映像信号の伸張処理及びレンダリング処理を行う、１又は２以上のデバイスを備える。画像処理回路５４は、ＭＰＥＧ４のような公知の画像圧縮符号化標準を使う。
【００４２】
短距離トランシーバ５６は、アンテナ５８と接続されており、無線通信装置１０からの信号がディスプレイ５２の近接領域内に入ると、無線距離通信装置１０の短距離トランシーバ３６の存在を探知できるようになっている。別の実施形態によれば、短距離トランシーバ５６は、短距離トランシーバ３６の存在を探知して、周知のブルートゥースプロトコルに従って、アドホック通信リンクを確立する。通信リンクの確立では、リモート表示デバイス５０と無線通信装置１０との間で、プロトコルのバージョン、能力内容、装置の同一性などの様々なパラメータについての確認がなされる。さらに、周知の規格に従って、外部表示デバイス５０と無線通信装置１０との間の同期化、認証がなされる。一旦リンクが確立されると、無線通信装置１０は、無線通信ネットワークから受信した画像／映像信号を外部表示デバイス５０に伝送する。
【００４３】
外部音声デバイス６０は、１又は２以上のスピーカ６２，音声処理回路６４，短距離トランシーバ６６を有する。外部表示デバイス５０と同様に、外部音声デバイス６０の構成要素は、単体のデバイスでもよいし、単体のデバイスでなくてもよい。さらに、外部表示デバイス５０と外部音声デバイス６０を受信した画像／映像信号と無線通信デバイス１０から受信した音声信号の両方を出力できる単一のシステムで構成することは可能であるが、それが要求されるものではない。
【００４４】
スピーカ６２は、１つ又はそれ以上のコニカルスピーカ（conic speaker）、フラット・パネル・スピーカなどの公知のスピーカで構成され、音声信号を可聴音として無線通信装置１０のユーザに提供可能である。外部表示デバイス５０に送信された画像に対応した音声信号は、短距離インタフェースと介して無線通信装置１０から受信され、スピーカ６２を介してユーザに提供される。別の実施形態では、スピーカ６２が、外部表示デバイス５０と連結された音声システムとなっている。さらに別の実施形態では、スピーカ６２が、コンピュータ装置と連結されたスピーカとなっている。さらに別の実施形態では、このスピーカ６２を、ユーザの家庭ステレオに、１又は２以上を組み込むことを想定している。
【００４５】
音声処理回路６４は無線通信装置１０から短距離インタフェースを介して音声信号を受信し、その信号を伸張して、スピーカ６２に出力し可聴音を発生させる。短距離トランシーバ６６は、アンテナ６８を有し、別の短距離トランシーバ３６，５６と同じ機能を実行する。短距離トランシーバ３６，５６と同様に、短距離トランシーバ６６は、周知のブルートゥース規格に従って動作し、特定のネットワークを確立するために短距離トランシーバ３６のような短距離トランシーバの存在を探知する。一旦短距離トランシーバ３６、６６間に通信リンクが確立されると、無線通信装置１０は、テレビ会議と関連する音声をスピーカ６２に伝送する。
【００４６】
すでに述べたように、テレビ会議を行っているユーザは、画像／映像や音声信号を、ユーザ側の無線通信装置１０ではなく、外部の表示デバイスと外部音声デバイス５０、６０に送信する。こうすることで、ユーザは、無線通信装置１０に必然的に伴う制約なしに、リモートでテレビ会議に参加している人の実際の画像／映像を見ることができ、音声を聞くことができるようになる。図１３は、本発明の方法を示したものである。
【００４７】
無線通信装置１０が長距離トランシーバ３２を介して無線通信ネットワークから着信呼を受けた時、図１３のフローが開始される（ブロック８０）。コントローラ２８は、受信した信号のデータを検査し、受信信号が画像／映像信号を含んでいるかどうかを決定する(ブロック８２)。例えば、公知の規格に従って動作するヘッダ又はメッセージ制御部分には、画像／映像の形でメッセージに含まれるデータの種類を特定するためのインジケータ又はフラグが含まれている。これらの場合、コントローラ２８は、着信データが画像／映像データであるかどうかを、このインジケータに基づいて決定する。別の実施形態では、画像／映像に１又は２以上のタグが埋め込まれており、無線通信装置１０側では、そのタグの内容については既知である。無線通信装置１０のコントローラ２８は、そのタグの１又は２以上を、データ処理の一部として読み取り、そのデータが画像／映像データであるかどうかを決定する。しかし、本発明は、いずれかの方法に限定されるものでなく、受信したデータが画像／映像データであるか、別の型のデータ、例えば、画像／映像データではなく、音声データであるかが区別できる方法であれば、どの方法でもかまわない。
【００４８】
受信した信号に画像／映像データが含まれていない場合には、コントローラ２８は、受信した信号が音声データを含んでいるかどうかを判定する（ブロック９２）。受信した信号に画像／映像が含まれている場合には、コントローラ２８は、ユーザ側がその画像／映像を無線通信デバイス１０のディスプレイ１８又は外部表示デバイス５０のディスプレイ５２に出力することを望んでいるかどうかを確認する（ブロック８４）。この決定の仕方については、任意の方法でよい。別の実施形態によれば、ユーザがキーパッド２０を使って、手動で、ディスプレイ５２の着信先ＩＤを入力することによりディスプレイ１８かディスプレイ５２かの選択をするようになっている。別の実施形態によれば、コントローラ２８が、ユーザ側で定義付けした構成プロファイルをメモリ２６から読み取り、プロファイルの中にある情報に基づいて画像／映像を転送するようになっている。さらに、別の実施形態では、コントローラ２８は、ディスプレイ５２が使用可能であれば、すべての画像／映像を、そのディスプレイ５２に自動的に出力するようになっている。さらに別の実施形態では、画像／映像データをディスプレイ１８と５２の両方に出力するようになっている。ユーザが信号をディスプレイ５２には出力しないことを選ぶ場合には、コントローラ２８は、無線通信装置１０のディスプレイ１８に画像／映像データを出力する（ブロック８６）。ディスプレイ５２への出力を選ぶ場合には、コントローラ２８は、ディスプレイ５２が使用可能かどうかを検査する（ブロック８８）。ディスプレイ５２が使用可能であれば、コントローラ２８は、着信呼に対応した画像／映像を、確立している短距離インタフェースを介してディスプレイ５２に転送する（ブロック９０）。
【００４９】
ディスプレイ５２が使用可能かどうかを検査する方法については、公知の多数の方法があることは当業者の知るところである。その方法の１つとして、ブルートゥース規格のページング機能を使用できる。アドホックネットワークの構築及び管理については、当該技術分野ではよく知られている。簡単に言えば、ブルートゥースを使えば、別の使用可能な類似のデバイスの存在を検出でき、それを使ってアドホックネットワークの構築ができるということである。ブルートゥース規格は、検出したデバイスとの通信チャネルのネゴシエーション及び確立を行い、その検出したデバイスの能力を確認することが可能である。そのデバイスの検出、通信チャネルの確立、能力確認を、着信呼の受信前に行ってもよい。本発明では、短距離トランシーバ３６，５６が互いを検知できる地理的領域は、ユーザがディスプレイ５２を見ることのできる範囲と概ね一致している。
【００５０】
次に、コントローラ２８は、ユーザが画像／映像に対応した音声データを無線通信装置１０のスピーカ２４又は外部音声デバイス６０のスピーカ６２に送信することを望んでいるかを確認する（ブロック９２）。ユーザがスピーカ６２を通して音声を聞くことを望まない場合には、コントローラ２８は、音声信号を無線通信装置１０のスピーカ２４に送信する（ブロック９８）。望む場合には、コントローラ２８は、外部音声デバイス６０が使用可能であるかどうかを確認する（ブロック９４）。上で述べたアドホックネットワークの確立の場合と同様に、短距離トランシーバ３６と短距離トランシーバ６６との間の通信リンクを確立するために、ブルートゥース規格のページング機能を使える。外部音声デバイス６０が使用可能であれば（ブロック９４）、コントローラ２８は、音声データを外部音声デバイス６０に転送し（ブロック９６）、それにより、音声データがスピーカ６２を通しての可聴音が提供されることになる。
【００５１】
上で述べた実施形態では、無線通信装置１０が、どのようにして着信呼に対応した画像／映像データと音声データを、１又は２以上のアドホック短距離インタフェースを使って、外部表示時デバイス５０と外部音声デバイス６０に出力しているかを説明している。しかし、本発明では、これらの実施形態で示された方法には限定されない。別の実施形態では、図１４に示された無線通信装置１０では、短距離トランシーバが設けられていないコンピュータデバイス４００に画像／映像信号、音声信号を出力する。この実施形態では、無線通信装置１０とコンピュータデバイス４００の両方で規格リンクに従った通信が行われ、ファイヤーワイヤー規格のケーブル１０２で接続されている。当該技術分野では周知であるが、この「ファイヤーワイヤー」は、高速シリアルデータバスのクロスプラットフォーム実装の形態であり、大量の音声データ、画像データを超高速で伝送することができる。このファイヤーワイヤー規格は、ＩＥＥＥ１３９４−１９９５、ＩＥＥＥ１３９４ａー２０００、ＩＥＥＥ１３９４ｂで規定されている。その規格の内容は全て本明細書に組み込まれる。
【００５２】
図１４に示すように、無線通信装置１０は、着信呼に対応する音声データ、画像／映像データを無線通信ネットワークから受信している。コントローラ２８は、着信データがどのようなプロトコルのもとで送信されてきたものでも、すべてファイヤーワイヤー規格に合致するプロトコルのものに変換する。コントローラは、その音声データと画像／映像データをコンピュータデバイス４００に転送し、コンピュータデバイス４００がその画像／映像をディスプレイ５２に表示させ、音声を１又は２以上のスピーカ６２に供給する。
【００５３】
コンピュータデバイス４００は、無線通信装置１０から受信した音声データと画像／映像データを出力することの他に、マルチメディアデータの無線通信装置１０へのアップロードも行い、ここでアップロードされたデータは、後で外部表示デバイス５０、外部音声デバイス６０、別のコンピュータデバイス４００で再生されることになる。ユーザは、このデータから、例えば、定期的なスライド展示ファイル、ビジネス商品をジョブ機能の一環として作成できる。ユーザが、これらの製品を作成した後は、それらをネットワークを介して別の通信システムに転送して別の対象にプレゼンテーションしたり、あるいは、それらのファイルを格納した装置を会議用に持ち歩るくことができる。本発明の技術を使用すれば、ユーザは、マルチメディアデータから作成したスライドファイルなどの商品を、コンピュータデバイス４００から無線通信装置１０への転送が可能である。その後、これを受信した無線通信装置１０は、このマルチメディアデータを外部表示デバイス５０、外部音声デバイス６０、その他のコンピュータデバイス４００に出力できる。
【００５４】
この実施形態の一例を、図１５に示す。図１５では、ユーザがすでにコンピュータデバイス４００を使って、音声、画像／映像を含むマルチメディアデータを作成し、そのデータを無線通信装置１０にダウンロードする状況を示している。このことは、上記で述べたように、ファイヤーワイヤー規格リンクを使って実現できるが、あるいは、別の方法として、短距離又は長距離インタフェースによりデータをダウンロードすることによっても可能である。短距離又は長距離のインタフェースを使用してダウンロードする方法の場合には、コンピュータデバイス４００には、短距離トランシーバ又は長距離トランシーバ、あるいは、その両方が設けられることになる。このマルチメディアデータの転送には、さらに別の方法も考えることも可能である。
【００５５】
図１５のフローチャートの通り、ユーザが、無線通信装置１０に格納されているアプリケーションを実行する（ブロック５１０）。無線通信装置１０は、短距離インタフェースあるいはファイヤーワイヤー規格ケーブルリンクを使ってディスプレイ５２の使用が可能であるかどうかを判定する（ブロック５１２）。ディスプレイ５２が使用できない場合には、ユーザとしては、無線通信装置１０側のディスプレイ１８に出力させて（ブロック５１８）、それを見ることができる。ディスプレイ５２のほうが使用できるのであれば、コントローラ２８は、そのディスプレイ５２の解像度を確認して（ブロック５１４）、その解像度で当該マルチメディアデータを表示できるかどうかを判断する（ブロック５１６）。ディスプレイ５２の解像度は、短距離インタフェースが確立されている間に確認するが、いったん通信リンクが確立されてしまえば、無線通信装置１０からの要求に応じて確認するようにしてもよい。ディスプレイ５２の解像度では表示ができない場合には、ユーザは無線通信装置１０のディスプレイ１８に出力される画像／映像をを見ればよい（ブロック５１８）。一方ディスプレイ５２の解像度で表示可能な場合には、コントローラ２８は、画像／映像をスケーリングしてディスプレイ５２の解像度で表示できるようにする（ブロック５２０）。コントローラ２８は、そのスケーリング後、画像／映像をディスプレイ５２の転送する（ブロック５２２）。ユーザは、例えば、キーパッド２０を使用してスケーリングを調整し、あるいは、表示された画像／映像の特性を調整することができる（ブロック５２４）。
【００５６】
本実施形態では、マルチメディアデータを多様なリモートシステムに転送するために、ブルートゥース規格やファイヤーワイヤー規格のような方法を使用したが、同じ機能を実行するために別のプロトコルやアダプタを使用できることは、当業者には容易に理解されよう。例えば、無線通信装置１０がマルチメディアデータを１又は２以上のマルチメディア供給装置に、ＵＳＢ（Universal Serial Bus）ポートや音声／映像アダプタを直接接続したり、その他のデジタル映像／音声インタフェースを使用しても伝送が可能である。さらに、無線通信装置１０へのデータ転送、無線通信装置１０からのデータの受信に、赤外線通信規格のような、ブルートゥース以外の無線規格を使用してもよい。さらに、コントローラ２８を、マルチメディアデータを複数のディスプレイ５２，複数のスピーカ６２に伝送できるように構成してもよい。
【００５７】
本明細書及び図面においては、本発明の実施形態を示し、特定の用語を使用したが、それらの用語は説明のためのものであり、それらに限定されるものではない。本発明の範囲は請求の範囲により定義される。
【図面の簡単な説明】
【００５８】
【図１】図１は、本発明の種々の実施形態において構成された携帯無線コミュニケータ及び外部表示画面のブロック図である。
【図２】図２は、本発明の種々の実施形態による携帯無線コミュニケータのブロック図である。
【図３】、
【図４】、
【図５】、
【図６】、
【図７】、
【図８】図３−８は、本発明の多様な別の実施形態により構成された携帯無線コミュニケータ及び外部表示画面のブロック図である。
【図９】、
【図１０】図９及び１０は、本発明の種々の実施形態における動作を説明するフローチャートである。
【図１１】図１１は、本発明の一実施形態による無線通信装置を示す図である。
【図１２】図１２は、本発明の一実施形態により無線通信装置が外部表示装置及び外部音声装置とどのように交信するかを示す図である。
【図１３】図１３は、本発明の一実施形態による方法を説明するフローチャートである。
【図１４】図１４は、本発明の別の実施形態の斜視図である。
【図１５】図１５は、本発明の別の実施形態による方法を説明するフローチャートである。
【図１】
2008517525.tif 000003
【図２】
2008517525.tif 000004
【図３】
2008517525.tif 000005
【図４】
2008517525.tif 000006
【図５】
2008517525.tif 000007
【図６】
2008517525.tif 000008
【図７】
2008517525.tif 000009
【図８】
2008517525.tif 000010
【図９】
2008517525.tif 000011
【図１０】
2008517525.tif 000012
【図１１】
2008517525.tif 000013
【図１２】
2008517525.tif 000014
【図１３】
2008517525.tif 000015
【図１４】
2008517525.tif 000016
【図１５】
2008517525.tif 000017
【手続補正書】
【提出日】平成17年11月7日(2005.11.7)
【手続補正１】
【補正対象書類名】特許請求の範囲
【補正対象項目名】全文
【補正方法】変更
【補正の内容】
【特許請求の範囲】
【請求項１】
表示画面とカメラとを有する携帯無線コミュニケータを用いて、該携帯無線コミュニケータのユーザとリモートの相手とでテレビ会議を行うテレビ会議ステップと、
前記テレビ会議中、前記カメラにより生成された画像を前記携帯無線コミュニケータの前記表示画面に表示するとともに、前記リモートの相手の画像を外部表示画面に送信する表示ステップと、
を有することを特徴とするテレビ会議方法。
【請求項２】
前記カメラにより生成された画像は、前記携帯無線コミュニケータのユーザの画像を含むことを特徴とする請求項１に記載の方法。
【請求項３】
前記テレビ会議ステップは、更に、前記携帯無線コミュニケータから外部スピーカに、前記リモートの相手の音声を送信することを特徴とする請求項１に記載の方法。
【請求項４】
前記テレビ会議ステップは、更に、前記携帯無線コミュニケータから前記外部表示画面の外部スピーカに、前記リモートの相手の音声を送信することを特徴とする請求項１に記載の方法。
【請求項５】
前記外部表示画面の解像度に合わせて前記リモートの相手の画像をスケーリングするステップを更に有することを特徴とする請求項１に記載の方法。
【請求項６】
携帯無線コミュニケータのハウジングと、
前記ハウジングに収納された第１表示画面と、
前記ハウジングに収納されたカメラと、
携帯無線コミュニケータを用いて、該携帯無線コミュニケータのユーザとリモートの相手とでテレビ会議を行い、前記テレビ会議中、前記カメラにより生成された画像を前記第１表示画面に表示するとともに、前記リモートの相手の画像を前記携帯無線コミュニケータの外部の第２表示画面に送信するテレビ会議コントローラと、
を有することを特徴とする携帯無線コミュニケータ。
【請求項７】
前記カメラにより生成された画像は、前記携帯無線コミュニケータのユーザの画像を含むことを特徴とする請求項６に記載の携帯無線コミュニケータ。
【請求項８】
前記テレビ会議コントローラは、更に、前記携帯無線コミュニケータから該携帯無線コミュニケータの外部スピーカに、前記リモートの相手の音声を送信することを特徴とする請求項６に記載の携帯無線コミュニケータ。
【請求項９】
前記第２表示画面はスピーカを更に有し、前記テレビ会議コントローラは、更に、前記携帯無線コミュニケータから前記スピーカに、前記リモートの相手の音声を送信することを特徴とする請求項６に記載の携帯無線コミュニケータ。
【請求項１０】
前記テレビ会議コントローラは、更に、前記第２表示画面の解像度に合わせて前記リモートの相手の画像をスケーリングすることを特徴とする請求項６に記載の携帯無線コミュニケータ。
【請求項１１】
コンピュータ読み取り可能なプログラムコードを格納したコンピュータ読み取り可能な記憶媒体を有するテレビ会議コンピュータプログラムであって、前記コンピュータ読み取り可能なプログラムコードは、
表示画面とカメラとを有する携帯無線コミュニケータを用いて、該携帯無線コミュニケータのユーザとリモートの相手とでテレビ会議を行うためのコンピュータ読み取り可能なプログラムコードと、
前記テレビ会議中、前記カメラにより生成された画像を前記携帯無線コミュニケータの前記表示画面に表示するとともに、前記リモートの相手の画像を外部表示画面に送信するためのコンピュータ読み取り可能なプログラムコードと、
を含むことを特徴とするテレビ会議コンピュータプログラム。
【請求項１２】
前記カメラにより生成された画像は、前記携帯無線コミュニケータのユーザの画像を含むことを特徴とする請求項１１に記載のコンピュータプログラム。
【請求項１３】
前記テレビ会議を行うためのコンピュータ読み取り可能なプログラムコードは、更に、前記携帯無線コミュニケータから外部スピーカに、前記リモートの相手の音声を送信するためのコンピュータ読み取り可能なプログラムコードを含むことを特徴とする請求項１１に記載のコンピュータプログラム。
【請求項１４】
前記テレビ会議を行うためのコンピュータ読み取り可能なプログラムコードは、更に、前記携帯無線コミュニケータから前記外部表示画面の外部スピーカに、前記リモートの相手の音声を送信するためのコンピュータ読み取り可能なプログラムコードを含むことを特徴とする請求項１１に記載のコンピュータプログラム。
【請求項１５】
前記コンピュータ読み取り可能なプログラムコードは、前記外部表示画面の解像度に合わせて前記リモートの相手の画像をスケーリングするためのコンピュータ読み取り可能なプログラムコードを更に含むことを特徴とする請求項１１に記載のコンピュータプログラム。
【国際調査報告】
2008517525.tif 000018
2008517525.tif 000019
2008517525.tif 000020